【手続補正書】
【提出日】平成18年5月12日(2006.5.12)
【手続補正１】
【補正対象書類名】明細書
【補正対象項目名】００６３
【補正方法】変更
【補正の内容】
【００６３】
【図１Ａ】本発明による人工椎間板移植物の一形態の様々な図に対応し、大きくされた球状の中央支持体と外側の環状支持体を示す。
【図１Ｂ】本発明による人工椎間板移植物の一形態の様々な図に対応し、大きくされた球状の中央支持体と外側の環状支持体を示す。
【図１Ｃ】本発明による人工椎間板移植物の一形態の様々な図に対応し、大きくされた球状の中央支持体と外側の環状支持体を示す。
【図１Ｄ】本発明による人工椎間板移植物の一形態の様々な図に対応し、大きくされた球状の中央支持体と外側の環状支持体を示す。
【図１Ｅ】本発明による人工椎間板移植物の一形態の様々な図に対応し、大きくされた球状の中央支持体と外側の環状支持体を示す。
【図１Ｆ】図１Ａ−１Ｅに示される椎間板装置をわずかに変形しこれにより脊椎により良く適合した椎間板装置の様々な図に対応するものである。
【図１Ｇ】図１Ａ−１Ｅに示される椎間板装置をわずかに変形しこれにより脊椎により良く適合した椎間板装置の様々な図に対応するものである。
【図１Ｈ】図１Ａ−１Ｅに示される椎間板装置をわずかに変形しこれにより脊椎により良く適合した椎間板装置の様々な図に対応するものである。
【図１Ｊ】図１Ａ−１Ｅに示される椎間板装置をわずかに変形しこれにより脊椎により良く適合した椎間板装置の様々な図に対応するものである。
【図２Ａ】隣接するそれぞれ上下の脊椎の間に移植された、図１Ａ−１Ｅの人工椎間板装置の様々な図に対応するものである。
【図２Ｂ】隣接するそれぞれ上下の脊椎の間に移植された、図１Ａ−１Ｅの人工椎間板装置の様々な図に対応するものである。
【図２Ｃ】隣接するそれぞれ上下の脊椎の間に移植された、図１Ａ−１Ｅの人工椎間板装置の様々な図に対応するものである。
【図２Ｄ】隣接するそれぞれ上下の脊椎の間に移植された、図１Ａ−１Ｅの人工椎間板装置の様々な図に対応するものである。
【図３Ａ】本発明による別の人工椎間板の様々な図に対応し、外側の環状支持部と一体の内側の球状支持部に乗った１対のドーム構造を示している。
【図３Ｂ】本発明による別の人工椎間板の様々な図に対応し、外側の環状支持部と一体の内側の球状支持部に乗った１対のドーム構造を示している。
【図３Ｃ】本発明による別の人工椎間板の様々な図に対応し、外側の環状支持部と一体の内側の球状支持部に乗った１対のドーム構造を示している。
【図３Ｄ】本発明による別の人工椎間板の様々な図に対応し、外側の環状支持部と一体の内側の球状支持部に乗った１対のドーム構造を示している。
【図４Ａ】上下の脊椎の間に移植された、図３Ａ−３Ｄの人工椎間板装置の様々な図に対応するものである。
【図４Ｂ】上下の脊椎の間に移植された、図３Ａ−３Ｄの人工椎間板装置の様々な図に対応するものである。
【図４Ｃ】上下の脊椎の間に移植された、図３Ａ−３Ｄの人工椎間板装置の様々な図に対応するものである。
【図４Ｄ】上下の脊椎の間に移植された、図３Ａ−３Ｄの人工椎間板装置の様々な図に対応するものである。
【図５Ａ】外側の支持部の周囲に延在する外周溝を有していることを除いて図３Ａ−３Ｄに示されるものと同じ人工椎間板装置の様々な図に対応するものである。
【図５Ｂ】外側の支持部の周囲に延在する外周溝を有していることを除いて図３Ａ−３Ｄに示されるものと同じ人工椎間板装置の様々な図に対応するものである。
【図５Ｃ】外側の支持部の周囲に延在する外周溝を有していることを除いて図３Ａ−３Ｄに示されるものと同じ人工椎間板装置の様々な図に対応するものである。
【図５Ｄ】外側の支持部の周囲に延在する外周溝を有していることを除いて図３Ａ−３Ｄに示されるものと同じ人工椎間板装置の様々な図に対応するものである。
【図５Ｅ】外側の支持部の周囲に延在する外周溝を有していることを除いて図３Ａ−３Ｄに示されるものと同じ人工椎間板装置の様々な図に対応するものである。
【図６Ａ】本発明に係る人工椎間板装置の他の例を示す様々な図に対応し、拡大された中央の球状支持部に適合する対の外側環状支持部を示している。
【図６Ｂ】本発明に係る人工椎間板装置の他の例を示す様々な図に対応し、拡大された中央の球状支持部に適合する対の外側環状支持部を示している。
【図６Ｃ】本発明に係る人工椎間板装置の他の例を示す様々な図に対応し、拡大された中央の球状支持部に適合する対の外側環状支持部を示している。
【図６Ｄ】本発明に係る人工椎間板装置の他の例を示す様々な図に対応し、拡大された中央の球状支持部に適合する対の外側環状支持部を示している。
【図６Ｅ】本発明に係る人工椎間板装置の他の例を示す様々な図に対応し、拡大された中央の球状支持部に適合する対の外側環状支持部を示している。
【図６Ｆ】本発明に係る人工椎間板装置の他の例を示す様々な図に対応し、拡大された中央の球状支持部に適合する対の外側環状支持部を示している。
【図７Ａ】中央支持体の別の構造の様々な図に対応し、対向するドーム構造で、一方は中央に柱状突起を有し、他方は中央にハブを有したものを示している。
【図７Ｂ】中央支持体の別の構造の様々な図に対応し、対向するドーム構造で、一方は中央に柱状突起を有し、他方は中央にハブを有したものを示している。
【図７Ｃ】中央支持体の別の構造の様々な図に対応し、対向するドーム構造で、一方は中央に柱状突起を有し、他方は中央にハブを有したものを示している。
【図８Ａ】内側の支持部に形成された開口内に突出する図７Ａ−７Ｃのドーム構造を有した人工椎間板装置の様々な図に対応するものである。
【図８Ｂ】内側の支持部に形成された開口内に突出する図７Ａ−７Ｃのドーム構造を有した人工椎間板装置の様々な図に対応するものである。
【図８Ｃ】内側の支持部に形成された開口内に突出する図７Ａ−７Ｃのドーム構造を有した人工椎間板装置の様々な図に対応するものである。
【図８Ｄ】内側の支持部に形成された開口内に突出する図７Ａ−７Ｃのドーム構造を有した人工椎間板装置の様々な図に対応するものである。
【図８Ｅ】内側の支持部に形成された開口内に突出する図７Ａ−７Ｃのドーム構造を有した人工椎間板装置の様々な図に対応するものである。
【図９】図８Ａ−８Ｅの人工椎間板装置の別の形態の断面図であり、対の内側支持リングでその上にそれぞれのドーム構造がクッションウエブ壁とともに乗ったものを示している。
【図１０Ａ】軸上で大きくされた中央支持部材と外側の環状支持部材を有した人工椎間板装置の他の別のものの様々な図に対応し、中央支持部材の水時計形状と外側支持部材の開口体を示している。
【図１０Ｂ】軸上で大きくされた中央支持部材と外側の環状支持部材を有した人工椎間板装置の他の別のものの様々な図に対応し、中央支持部材の水時計形状と外側支持部材の開口体を示している。
【図１０Ｃ】軸上で大きくされた中央支持部材と外側の環状支持部材を有した人工椎間板装置の他の別のものの様々な図に対応し、中央支持部材の水時計形状と外側支持部材の開口体を示している。
【図１０Ｄ】軸上で大きくされた中央支持部材と外側の環状支持部材を有した人工椎間板装置の他の別のものの様々な図に対応し、中央支持部材の水時計形状と外側支持部材の開口体を示している。
【図１０Ｅ】図１０Ａ−１０Ｄの椎間板装置の変形例に対応し、外側支持部材に形成された異なるサイズの貫通開口を示している。
【図１０Ｆ】図１０Ａ−１０Ｄの椎間板装置の変形例に対応し、外側支持部材に形成された異なるサイズの貫通開口を示している。
【図１０Ｇ】図１０Ａ−１０Ｄの椎間板装置の変形例に対応し、外側支持部材に形成された異なるサイズの貫通開口を示している。
【図１０Ｈ】図１０Ａ−１０Ｄの椎間板装置の変形例に対応し、外側支持部材に形成された異なるサイズの貫通開口を示している。
【図１１Ａ】別の人工椎間板装置の様々な図に対応し、上部および下部の支持部材と、それらの間の荷重支持部材を示している。
【図１１Ｂ】別の人工椎間板装置の様々な図に対応し、上部および下部の支持部材と、それらの間の荷重支持部材を示している。
【図１１Ｃ】別の人工椎間板装置の様々な図に対応し、上部および下部の支持部材と、それらの間の荷重支持部材を示している。
【図１１Ｄ】別の人工椎間板装置の様々な図に対応し、上部および下部の支持部材と、それらの間の荷重支持部材を示している。
【図１１Ｅ】別の人工椎間板装置の様々な図に対応し、上部および下部の支持部材と、それらの間の荷重支持部材を示している。
【図１１Ｆ】別の人工椎間板装置の様々な図に対応し、上部および下部の支持部材と、それらの間の荷重支持部材を示している。
【図１１Ｇ】別の人工椎間板装置の様々な図に対応し、上部および下部の支持部材と、それらの間の荷重支持部材を示している。
【図１１Ｈ】別の人工椎間板装置の様々な図に対応し、上部および下部の支持部材と、それらの間の荷重支持部材を示している。
【図１２Ａ】別の人工椎間板装置の様々な図に対応し、上部および下部の支持部材と、それらの間の環状荷重支持部材およびプラグ部材を示している。
【図１２Ｂ】別の人工椎間板装置の様々な図に対応し、上部および下部の支持部材と、それらの間の環状荷重支持部材およびプラグ部材を示している。
【図１２Ｃ】別の人工椎間板装置の様々な図に対応し、上部および下部の支持部材と、それらの間の環状荷重支持部材およびプラグ部材を示している。
【図１２Ｄ】別の人工椎間板装置の様々な図に対応し、上部および下部の支持部材と、それらの間の環状荷重支持部材およびプラグ部材を示している。
【図１２Ｅ】別の人工椎間板装置の様々な図に対応し、上部および下部の支持部材と、それらの間の環状荷重支持部材およびプラグ部材を示している。
【図１２Ｆ】別の人工椎間板装置の様々な図に対応し、上部および下部の支持部材と、それらの間の環状荷重支持部材およびプラグ部材を示している。
【図１２Ｇ】別の人工椎間板装置の様々な図に対応し、上部および下部の支持部材と、それらの間の環状荷重支持部材およびプラグ部材を示している。
【図１２Ｈ】別の人工椎間板装置の様々な図に対応し、上部および下部の支持部材と、それらの間の環状荷重支持部材およびプラグ部材を示している。
【図１２Ｉ】別の人工椎間板装置の様々な図に対応し、上部および下部の支持部材と、それらの間の環状荷重支持部材およびプラグ部材を示している。
【手続補正２】
【補正対象書類名】図面
【補正対象項目名】図１Ｉ
【補正方法】削除
【補正の内容】